(57)【特許請求の範囲】
【請求項１】
循環ポンプの作動によって浴槽内の浴水を給水側管路から汲み上げて循環ポンプ、ヒータ、フィルタ、殺菌装置等が配備された循環管路を循環させて浄化処理した後流出側管路から浴槽に再び流出させる浴水循環装置において、
循環管路内を洗浄するために洗浄開始時間を設定する時間設定部と、設定された洗浄開始時間と洗浄時間を記憶する時間記憶部と、洗浄開始時間と洗浄時間を変更する時間変更部とを有する洗浄指令手段の指令に基づき、給水側管路と流出側管路とを連結管路により切換弁を介して接続して浴槽への循環を断った閉ループの循環管路を形成すると共に、管路洗浄のための殺菌剤を収納した殺菌剤タンクに殺菌剤配管の一端を接続し、該殺菌剤配管の他端を前記閉ループの循環管路に切換弁を介して接続すると共に、前記閉ループの循環管路に切換弁を介して接続し、他端が浴槽外に流出するように排水管を接続したことを特徴とする浴水循環装置における管路浄化装置。
【請求項２】
浴槽内の浴水を給水側管路から汲み上げて循環管路を循環させて浄化、保温処理した後流出側管路から浴槽に再び流出させる浴水循環装置において、
微細なごみ及び汚れなる不純物を浴水から濾過するフィルタと、浴水を循環させるための循環ポンプと、該循環ポンプにて浴水が浴槽から浴槽に戻るように循環する循環管路と、該循環管路の吸込み側寄りの適宜な部位と前記循環管路の流出側寄りの適宜な部位とを切換弁を介して連結して閉ループの循環管路を形成する連結管路と、該閉ループの循環管路の適宜の部位に連結する殺菌剤配管と、該殺菌剤配管の外端に設けた殺菌剤タンクと、循環管路内を洗浄するために洗浄開始時間を設定する時間設定部と、設定された洗浄開始時間と洗浄時間を記憶する時間記憶部と、洗浄開始時間と洗浄時間を変更する時間変更部とを有する洗浄指令手段とからなり、該洗浄指令手段からの指令に基づき、管路洗浄時には、該殺菌剤タンク内の殺菌剤を循環管路に注入し、該閉ループの循環管路内の浴水を連結管路を介して循環して管路洗浄し、所定の時間が経過した排水時には、前記循環管路内の浴水を前記閉ループの循環管路に排水用の切換弁を介して接続した排水管から浴槽の外側に排出するようにしたことを特徴とする浴水循環装置における管路浄化装置。
【請求項３】
浴槽内の浴水を給水側管路から汲み上げて循環管路を循環させて浄化、保温処理した後流出側管路から浴槽に再び流出させる浴水循環装置において、
微細なごみ及び汚れなる不純物を浴水から濾過するフィルタと、浴水を循環させるための循環ポンプと、該循環ポンプにて浴水が浴槽から浴槽に戻るように循環する循環管路と、該循環管路の吸込み側寄りの適宜な部位と前記循環管路の流出側寄りの適宜な部位とを連結して閉ループの循環管路を形成する連結管路と、該閉ループの循環管路の適宜の部位に連結する殺菌剤配管と、該殺菌剤配管の外端に設けた殺菌剤タンクと、前記連結管路と循環管路の吸込み側寄りとの連結箇所に設けた第１三方弁と、前記連結管路と循環管路の流出側寄りとの連結箇所に設けた第２三方弁と、該第２三方弁寄りの循環管路に設けた排水用三方弁と、循環管路内を洗浄するために洗浄開始時間を設定する時間設定部と、設定された洗浄開始時間と洗浄時間を記憶する時間記憶部と、洗浄開始時間と洗浄時間を変更する時間変更部とを有する洗浄指令手段とからなり、該洗浄指令手段からの指令に基づき、管路洗浄時には、閉ループの循環管路内の浴水に前記殺菌剤タンク内の殺菌剤を循環管路に注入して連結管路を介して循環して管路洗浄し、所定の時間が経過した排水時には、前記循環管路内の浴水を前記閉ループの循環管路に前記排水用三方弁を介して接続した排水管から浴槽の外側に排出するようにしたことを特徴とする浴水循環装置における管路浄化装置。
【請求項４】
請求項１又は２又は３において、管路洗浄は、記憶されている洗浄開始時間により閉ループの循環管路を形成して開始し、洗浄時間を計測する洗浄計測手段により記憶されている洗浄時間洗浄するようにしたことを特徴とする浴水循環装置における管路浄化装置。
【発明の詳細な説明】
【０００１】
【発明の属する技術分野】
本発明は、少量の殺菌剤にて循環管路を洗浄することができる浴水循環装置における管路浄化装置に関する。
【０００２】
【従来の技術】
従来の浴水循環装置は、長期間の使用により装置本体と配管に微生物膜が付着することがあるために安全衛生問題の外、ある一定期間毎に装置を殺菌、洗浄する必要があった。またその方法は浴槽内の湯に直接殺菌剤を投入し、装置を循環させるものであった。
【０００３】
【発明が解決しようとする課題】
そのため、(1)浴槽の湯に殺菌剤を投入するために、多量の洗剤を使わなければならず、不経済であった。(2)作業者が汚水に接触する可能性がある為に高濃度の殺菌剤が使用できず、洗浄効果に限界があった。(3)洗浄時、汚水が浴槽を循環するために、洗浄後のすすぎの手間がかかった。また衛生面での問題もあった。このため、これらを解決することが特に要望されている。
【０００４】
【課題が解決するための手段】
そこで発明者は、その発明を、循環ポンプの作動によって浴槽内の浴水を給水側管路から汲み上げて循環ポンプ、ヒータ、フィルタ、殺菌装置等が配備された循環管路を循環させて浄化処理した後流出側管路から浴槽に再び流出させる浴水循環装置において、循環管路内を洗浄するために洗浄開始時間を設定する時間設定部と、設定された洗浄開始時間と洗浄時間を記憶する時間記憶部と、洗浄開始時間と洗浄時間を変更する時間変更部とを有する洗浄指令手段の指令に基づき、給水側管路と流出側管路とを連結管路により切換弁を介して接続して浴槽への循環を断った閉ループの循環管路を形成すると共に、管路洗浄のための殺菌剤を収納した殺菌剤タンクに殺菌剤配管の一端を接続し、該殺菌剤配管の他端を前記閉ループの循環管路に切換弁を介して接続すると共に、前記閉ループの循環管路に切換弁を介して接続し、他端が浴槽外に流出するように排水管を接続したことを特徴とする浴水循環装置における管路浄化装置等としたことにより、熱水にて循環管路を簡単に熱水洗浄することができ、前記の課題を解決したものである。
【０００５】
【実施の形態】
以下、本発明の実施の形態について図面に基づいて説明すると、図１に示すように、浴水循環装置は、主に、浴水を加熱するシーズヒータ等のヒータ１と、微細なごみ及び汚れなる不純物を浴水から濾過するフィルタ２と、浴水を殺菌する殺菌装置３と、浴水を循環させるための循環ポンプＰと、該循環ポンプＰにて浴水が浴槽１０から浴槽１０に戻るように循環する循環管路５等とから構成されている。
【０００６】
そのフィルタ２は、種類としては、精密フィルタ又は普通フィルタであり、活性石，活性炭を充填したものとして吸着剤濾材フィルタ材として使用したり、或いは、織布又は不織布からなりフィルタ素材から構成するものもある。何れにしても、不純物で微細なるごみ及び汚れを除去するものである。
【０００７】
連結管路６は、前記循環管路５の吸込み側寄りの適宜な部位と、前記循環管路５の流出側寄りの適宜な部位とを連結すると前記循環管路５の流出側管路５ｂの適宜な部位とを連結するように構成され、前記循環ポンプＰ，ヒータ１，フィルタ２，殺菌装置３を配置された循環管路５と連結管路６ととで閉ループが構成される。前記循環管路５において、前記連結管路６の両端との結合箇所箇所よりも、吸込みを給水側管路５ａと、流出側を流出側管路５ｂとそれぞれ称する。前記給水側管路５ａ及び流出側管路５ｂ上には、前記循環ポンプＰ，ヒータ１，フィルタ２，殺菌装置３は設けられないように構成されている。前記給水側管路５ａの吸込み口には、プレフィルタ１１が、前記流出側管路５ｂの流出口には、ジェット噴流が出るように噴出部１２が設けられている。
【０００８】
前記給水側管路５ａ及び流出側管路５ｂを除く循環管路５の適宜の部位に連結する殺菌剤配管７が設けられている。該殺菌剤配管７の外端には殺菌剤タンク８が設けられている。その殺菌剤の種類としては、塩素剤, ヨウ素等である。
【０００９】
適宜な弁が設けられている実施の形態が存在する。第１の実施の形態では、第１三方弁Ｖ１、第２三方弁Ｖ２、排水用三方弁Ｖ３、第４電磁弁がそれぞれ使用される。具体的には、第１三方弁Ｖ１は、前記連結管路６と循環管路５の吸込み側寄りとの結合箇所に、第２三方弁Ｖ２が、前記連結管路６と循環管路５の流出側寄りとの結合箇所にそれぞれ設けられている。また、排水用三方弁Ｖ３は、前記第２三方弁Ｖ２箇所よりも内側位置、即ち、給水側管路５ａ及び流出側管路５ｂを除く循環管路５に設けられている。前記排水用三方弁Ｖ３の排水側には、排水管９の一端が連結され、該排水管９の他端は、浴槽１０外に流出するように構成されている。前記殺菌剤用電磁弁Ｖは、前記殺菌剤配管７の途中に設けられている。洗浄時には、第１三方弁Ｖ１，第２三方弁Ｖ２，排水用三方弁Ｖ３の流水方向は、それぞれ管路循環側に切換えるように制御されている。
【００１０】
洗浄するときは、具体的には、第１三方弁Ｖ１は、給水側管路５ａが閉鎖され、連結管路６と循環管路５とが連通状態となり、第２三方弁Ｖ２は、流出側管路５ｂが閉鎖され、連結管路６と循環管路５とが連通状態となり、且つ排水用三方弁Ｖ３の流水方向は、管路循環側に切換えられる。これによって、循環管路５において、給水側管路５ａと流出側管路５ｂとが閉鎖された状態で、前記循環ポンプＰ，ヒータ１，フィルタ２，殺菌装置３を配置された循環管路５と連結管路６ととで閉ループを構成して、この内部の浴水が循環ポンプＰの動作にて循環する。この閉ループの循環管路５には、前記殺菌剤用電磁弁Ｖが開放となって、殺菌剤タンク８内の殺菌剤が添加される。
【００１１】
適宜な弁が設けられている実施の形態が存在する。第１の実施の形態では、第１三方弁Ｖ１、第２三方弁Ｖ２、排水用三方弁Ｖ３がそれぞれ使用される。具体的には、第１三方弁Ｖ１は、前記連結管路６と循環管路５の吸込み側寄りとの連結箇所に、第２三方弁Ｖ２が、前記連結管路６と循環管路５の流出側寄りとの連結箇所にそれぞれ設けられている。また、排水用三方弁Ｖ３は、前記第２三方弁Ｖ２箇所よりも内側位置、即ち、給水側管路５ａ及び流出側管路５ｂを除く循環管路５に設けられている。洗浄時には、第１三方弁Ｖ１，第２三方弁Ｖ２，排水用三方弁Ｖ３は、それぞれ循環管路５と同方向を向くように制御される。また、前記殺菌剤配管７には殺菌剤用電磁弁Ｖが設けられている。
【００１２】
管路浄化するときには、具体的には、第１三方弁Ｖ１は、給水側管路５ａが閉鎖され、連結管路６と循環管路５とが連通状態となり、第２三方弁Ｖ２は、流出側管路５ｂが閉鎖され、連結管路６と循環管路５とが連通状態となり、且つ排水用三方弁Ｖ３は、循環管路５と同方向を向くように制御される。これによって、循環管路５において、給水側管路５ａと流出側管路５ｂとが閉鎖された状態で、前記循環ポンプＰ，ヒータ１，フィルタ２，殺菌装置３を配置された循環管路５と連結管路６とで閉ループを構成して、この内部の浴水が循環ポンプＰの動作にて循環する。そして、前記殺菌剤用電磁弁Ｖが開放となって、殺菌剤タンク８内の殺菌剤が添加され、。循環管路５内の浴水と混合されつつ管路洗浄が開始される。
【００１３】
前記構成において、熱水管路洗浄を手動操作にて行なう場合には、図１に示すように、熱水管路洗浄をするために洗浄開始を命令する洗浄スイッチ１５と、該洗浄スイッチ１５に応答して洗浄時間を計測する洗浄計測手段１６（簡易タイマー等）とが備えられている。
【００１４】
図８は、本発明の手動操作による熱水管路洗浄フローチャートであり、入浴者が、定期的に熱水管路洗浄を行うタイプのものである。まず、殺菌剤による管路洗浄を開始するか否かの判断をなし（Ｓ１０参照）、開始する場合には、本体に設けられた洗浄スイッチ１５を入力する。すると、洗浄モードとなり（Ｓ１１参照）、殺菌装置の殺菌ランプが消灯し（Ｓ１２参照）、第１三方弁Ｖ１，第２三方弁Ｖ２及び排水用三方弁Ｖ３のそれぞれの流水方向を管路内循環側に切替え（Ｓ１３〜Ｓ１５参照）。そして、前記殺菌剤用電磁弁Ｖが開放となって（Ｓ１６参照）、殺菌剤タンク８内の殺菌剤が添加される（Ｓ１７参照）。この状態は図１に示す通りである。その後、殺菌剤用電磁弁Ｖが閉鎖となる（Ｓ１８参照）。そして循環管路５内の浴水と混合されつつ殺菌剤による管路洗浄が開始される（Ｓ１９参照）。この状態は図２に示す通りである。Ｓ２０，２１では、管路洗浄の時間を予め設定し、その時間を簡易なタイマー等の洗浄計測手段１６にて計測する。管路洗浄する所定の時間が経過したか否かを判断し（Ｓ２２参照）、経過した場合には、管路洗浄作業が終了したか否かを判断し（Ｓ２３）、洗浄が終了したと判断すると、排水用三方弁Ｖ３の流水方向を排水側に切替え（Ｓ２４参照）、管路洗浄した汚れた浴水を排水管９より流出する。この状態は図３（Ａ）に示す通りである。そして排水が完了したか否かを判断し（Ｓ２５）、排水したことを確認すると、排水用三方弁Ｖ３の流水方向を管路内循環側に切換える（Ｓ２６参照）。そして、第１三方弁Ｖ１，第２三方弁Ｖ２のそれぞれの流水方向を通常循環側に切替えられる（Ｓ２７及びＳ２８参照）。そして殺菌装置の殺菌ランプが点灯する（Ｓ２９参照）。すると、通常の浴水循環装置の運転のフローチャート（図９参照）の▲２▼に戻る。この状態は図３（Ｂ）に示す通りである。
【００１５】
また、循環管路内の洗浄を自動操作にて行なう場合には、図１０に示すように、ブロック図にて制御される。即ち、中央演算処理装置２０（ＣＰＵ）が設けられ、管路洗浄の開始及び時間等を制御する洗浄指令手段２１と、各種弁を制御する弁制御手段２２とが設けられている。前記洗浄指令手段２１には、循環管路内を洗浄するために洗浄開始時間を設定する時間設定部２１ａと、設定された洗浄開始時間と洗浄時間を記憶する時間記憶部２１ｂと、洗浄開始時間と洗浄時間を適宜変更する時間変更部２１ｃとを有している。
【００１６】
弁制御手段２２では、管路洗浄をするときには、第１三方弁Ｖ１，第２三方弁Ｖ２及び排水用三方弁Ｖ３のそれぞれの流水方向が管路内循環側に切替えられ、且つ殺菌剤用電磁弁Ｖが開放されて、所定時間後には閉鎖される。殺菌剤の投入は所定時間開放されていれば、充分である。また、管路洗浄が完了したときに、第１三方弁Ｖ１，第２三方弁Ｖ２はそのままの状態を保持し、排水用三方弁Ｖ３の流水方向が排水側に切替えられる。排水が完了すると、今度は、排水用三方弁Ｖ３の流水方向が管路内循環側に切替えられ、しかも、第１三方弁Ｖ１，第２三方弁Ｖ２は通常循環側に切替えられるように制御されている。
【００１７】
図１１は、本発明の自動操作による管路洗浄フローチャートであり、Ｓ３１では、管路内の洗浄時間を設定するか否かの判断をなし、時間を設定するときには、その洗浄時間（時，分等）を設定する（Ｓ３２参照）。そして、洗浄時間を変更するか否かの判断をなし（Ｓ３３参照）、変更しないときには、そのままの設定時間等を時間記憶部２１ｂにて記憶する（Ｓ３４参照）。そして、洗浄指令手段２１にて洗浄時間を計測する（Ｓ３５参照）。その洗浄開始の設定時間になったか否かを判断し（Ｓ３６参照）、その開始の設定時間となったときには、管路洗浄モードとなる（Ｓ３７参照）。殺菌装置の殺菌ランプが消灯し（Ｓ３８参照）、第１三方弁Ｖ１，第２三方弁Ｖ２及び排水用三方弁Ｖ３のそれぞれの流水方向を管路内循環側に切替えられる（Ｓ３９〜Ｓ４１参照）。そして、前記殺菌剤用電磁弁Ｖが開放となって（Ｓ４２参照）、殺菌剤タンク８内の殺菌剤が添加され（Ｓ４３参照）、循環管路５内の浴水と混合される。この状態は図１に示す通りである。その後、殺菌剤用電磁弁Ｖは閉鎖となる（Ｓ４４参照）。このようにして、循環ポンプＰのポンプ圧にて閉ループ管内の浴水が循環して管路洗浄作業が開始となる（Ｓ４５参照）。この状態は図２に示す通りである。その管路洗浄の時間等は、洗浄指令手段２１にて制御され洗浄の時間を予め設定されており、管路洗浄する所定の時間が経過して管路洗浄が終了したか否かを判断し（Ｓ４６参照）、洗浄が終了したと判断すると、排水用三方弁Ｖ３の流水方向を排水側に切替え（Ｓ４７参照）、管路洗浄した汚れた浴水を排水管９より流出する。この状態は図３（Ａ）に示す通りである。そして排水が完了したか否かを判断し（Ｓ４８参照）、排水したことを確認すると、第１三方弁Ｖ１の流水方向を通常循環側に切替え（Ｓ４９参照）、閉ループに注水するようにして、仕上げ洗浄排水が完了したか否かを判断し（Ｓ５０参照）、排水したことを確認すると、排水用三方弁Ｖ３の流水方向を管路内循環側に切換える（Ｓ５１参照）。そして、第２三方弁Ｖ２の流水方向を通常循環側に切替えられる（Ｓ５２参照）。また、殺菌装置の殺菌ランプが消灯する（Ｓ５３参照）。すると、通常の浴水循環装置の運転のフローチャート（図９参照）の▲２▼に戻る。この状態は図３（Ｂ）に示す通りである。
【００１８】
なお、浴水循環装置を通常運転状態のフローチャートは、図９に示すように、浴水循環装置を駆動するか否かを判断し（Ｓ１参照）、浴水循環装置を駆動する場合には、浴水循環装置の電源をＯＮとし（Ｓ２参照）、循環ポンプＰを駆動させ（Ｓ３参照）、ヒータ１をＯＮとし（Ｓ４参照）、さらに殺菌装置の殺菌ランプを点灯させて（Ｓ５参照）、浴水循環装置を駆動させる。そのとき、殺菌剤による管路洗浄をするか否かを判断し（Ｓ６参照）、洗浄させるとすると、▲１▼なる手動又は自動のサブルーチンのフローチャートとなる。洗浄しないと判断すると、そのまま駆動させ、浴水循環装置を停止させるか否かを判断し（Ｓ７参照）、停止する場合には終了し、停止しない場合には、浴水循環装置の電源をＯＮするＳ２の手前に戻る。
【００１９】
図４（Ａ），（Ｂ）及び図５（Ａ），（Ｂ）に示した第２実施の形態では、第１実施の形態において、前記第２三方弁Ｖ２に削除し、そこは単に連結管路６の連結部とし、該連結部よりも浴槽１０側の流出側管路５ｂの適宜の箇所に第２電磁弁Ｖ２′を設けたタイプであり、他の構成は、図１の第１実施の形態構成と同様である。この第２実施の形態タイプでは、手動又は自動のフローチャート（図８，図１１参照）において、第２三方弁Ｖ２の管路内循環側切替えを、第２電磁弁Ｖ２′を閉鎖とし、第２三方弁Ｖ２の通常循環側切替えを、第２電磁弁Ｖ２′を開放とするものであり、他のフローチャートは同一である。
【００２０】
図６（Ａ），（Ｂ）に示した第３実施の形態では、第１実施の形態において、前記第１三方弁Ｖ１に削除し、そこは単に連結管路６の連結部とし、該連結部よりも浴槽１０側の給水側管路５ａの適宜の箇所に第１電磁弁Ｖ１′を設けたタイプであり、他の構成は、図１の第１実施の形態構成と同様である。この第３実施の形態タイプでは、手動又は自動のフローチャート（図８，図１１参照）において、第１三方弁Ｖ１の管路内循環側切替えを、第１電磁弁Ｖ１′を閉鎖とし、第１三方弁Ｖ１の通常循環側切替えを、第１電磁弁Ｖ１′を開放とするものであり、他のフローチャートは同一である。
【００２１】
図７（Ａ），（Ｂ）に示した第４実施の形態では、第１実施の形態において、前記第１三方弁Ｖ１及び第２三方弁Ｖ２を削除し、そこは単に連結管路６の連結部とし、該連結部よりも浴槽１０側の給水側管路５ａの適宜の箇所に第１電磁弁Ｖ１′を、且つ連結部よりも浴槽１０側の流出側管路５ｂの適宜の箇所に第２電磁弁Ｖ２′をそれぞれ設けたタイプであり、他の構成は、図１の第１実施の形態構成と同様である。この第４実施の形態タイプでは、手動又は自動のフローチャート（図８，図１１参照）において、第１三方弁Ｖ１及び第２三方弁Ｖ２の管路内循環側切替えを、第１電磁弁Ｖ１′及び第２電磁弁Ｖ２′を閉鎖とし、第１三方弁Ｖ１及び第２三方弁Ｖ２の通常循環側切替えを、第１電磁弁Ｖ１′及び第２電磁弁Ｖ２′を開放とするものであり、他のフローチャートは同一である。
【００２２】
【発明の効果】
まず、請求項１乃至４なる本願発明では、少量の殺菌剤で洗浄を行なうことができ経済的であり、作業者が殺菌剤及びその排水に接触する可能性がないために高濃度の殺菌剤を安全に使用することができ、高い殺菌効果が期待できるし、殺菌洗浄後、洗浄後の汚水を排水管を通して排水口に排出することで、浴槽のすすぎの手間もなく作業者の安全衛生での危険性も少なく安全にできる利点がある。
【００２３】
また、各弁を操作することで比較的簡単に殺菌剤による管路洗浄ができ、また、洗浄開始させると、所望の時間（洗浄できる時間）を洗浄時間として、良好なる管路洗浄ができる。さらに、洗浄しようとする開始時間，洗浄時間等をセットしておくことで、特に、自動的に管路洗浄を行うことができ、且つこのときの弁制御にて、循環管路内の排水等も好適にできる。
【図面の簡単な説明】
【図１】本発明の第１の実施の形態で管路洗浄状態で殺菌剤を注入している略示図
【図２】本発明の第１の実施の形態で管路洗浄状態の略示図
【図３】（Ａ）は本発明の第１の実施の形態の排水時の略示図
（Ｂ）は本発明の第１の実施の形態の通常運転時の略示図
【図４】（Ａ）は本発明の第２の実施の形態で管路洗浄状態で殺菌剤を注入している略示図
（Ｂ）は本発明の第２の実施の形態で管路洗浄状態の略示図
【図５】（Ａ）は本発明の第２の実施の形態の排水時の略示図
（Ｂ）は本発明の第２の実施の形態の通常運転時の略示図
【図６】（Ａ）は本発明の第３の実施の形態で管路洗浄状態で殺菌剤を注入している略示図
（Ｂ）は本発明の第３の実施の形態の通常運転時の略示図
【図７】（Ａ）は本発明の第４の実施の形態で管路洗浄状態で殺菌剤を注入している略示図
（Ｂ）は本発明の第４の実施の形態の通常運転時の略示図
【図８】手動操作による管路洗浄のフローチャート
【図９】浴水循環装置の通常運転状態のフローチャート
【図１０】自動操作による管路洗浄のブロック図
【図１１】自動操作による保護管洗浄のフローチャート
【符号の説明】
２…フィルタ
５…循環管路
５ａ…給水側管路
５ｂ…流出側管路
６…連結管路
７…殺菌剤配管
８…殺菌剤タンク
１０…浴槽
１５…洗浄スイッチ
１６…洗浄計測手段
２１…洗浄指令手段
２２…弁制御手段
Ｐ…循環ポンプ
Ｖ１…第１三方弁
Ｖ２…第２三方弁
Ｖ３…排水用三方弁
【図１】
0003814035.tif 000002
【図２】
0003814035.tif 000003
【図３】
0003814035.tif 000004
【図４】
0003814035.tif 000005
【図５】
0003814035.tif 000006
【図６】
0003814035.tif 000007
【図７】
0003814035.tif 000008
【図８】
0003814035.tif 000009
【図９】
0003814035.tif 000010
【図１０】
0003814035.tif 000011
【図１１】
0003814035.tif 000012